(57)【要約】  【課題】  突出状態にある筆記体を没入させる際、筆記体の突出状態から更に筆記体を突出させることになる。この更なる突出によって、突出状態における出没機構の係止状態を解除しているのである。しかし、前記更なる突出動作によって、揺れ止めパイプのリフィルに対する締め込みが更に強固なものとなってしまう。この様に、強固に挟み込まれた状態で、突出した状態にあるリフィルを没入させるには、非常に弾発力の強いリターンスプリングが必要であり、突出動作時における必要な操作力も非常に大きなものとなってしまっていた。  【解決手段】  軸筒に筆記体が出没可能に配置された出没式筆記具であって、前記筆記体を弾発部材によって軸筒内に没入させると共に、前記軸筒の出没口の近傍に、前記筆記体の突出時にはその筆記体を保持するが、没入時には開放する筆記体保持手段を配置した出没式筆記具。【選択図】  図２
2008162105.tif 000002
【特許請求の範囲】
【請求項１】
軸筒に筆記体が出没可能に配置された出没式筆記具であって、前記筆記体を弾発部材によって軸筒内に没入させると共に、前記軸筒の出没口の近傍に、前記筆記体の突出時にはその筆記体を保持するが、没入時には開放する筆記体保持手段を配置したことを特徴とする出没式筆記具。
【請求項２】
前記筆記体保持手段の保持・開放動作を、前記筆記体の出没動作と連動させたことを特徴とする請求項１記載の出没式筆記具。
【請求項３】
前記筆記体の出没動作をロータリーカム機構によって行うと共に、前記筆記体保持手段を回転動作によって開閉するチャック体としたことを特徴とする請求項１、或いは、請求項２に記載の出没式筆記具。
【発明の詳細な説明】
【技術分野】
【０００１】
本発明は、軸筒に筆記体が出没可能に配置された出没式筆記具に関する。
【背景技術】
【０００２】
通常、出没式筆記具の筆記体（例えば、ボールペンのリフィル）を軸筒内から出没させると言う基本的な構造においては、前記リフィルの先端部に配置されているチップの外径と軸筒の前端開口部の内径にクリアランスを設けている。そのクリアランスをなくしてしまうと、前記チップが軸内の前端開口部から突出しなくなってしまったり、突出はするものの没入することができないと言った不具合が発生してしまうからである。また、そのクリアランスは、チップの外径と前端開口部の内径の寸法のバラツキを考慮しても、互いが圧入状態にならないように形成されている。その為、仮に、それぞれの部品寸法が正確なものであっても、クリアランスが形成されるよう設計されている。その結果、筆記の際に、チップがぐらついてしまったり、チップが前端開口部に段階的に当接して微振動が発生してしまったりして、違和感のある筆記作業となってしまっていた。
これら、ぐらつきや微振動を防止したものとして、筆記体（リフィル）の前方部とペン先ガタ付き防止突起を摺接させて、そのペン先（チップ）のガタを防止するようにしたものや、リフィル先端にスリットを有する揺れ止めパイプを取り付け、リフィルを前進させ軸筒から突出させた際、揺れ止めパイプ先端を軸筒先端内部のテーパー部にあて、揺れ止めパイプの先端を締め、前記ペン先のガタを防止したものが提案されている。
【０００３】
【特許文献１】特開２０００−０４３４７８公報
【特許文献２】実公平１−１１５１１号公報
【発明の開示】
【発明が解決しようとする課題】
【０００４】
前者の従来技術にあっては、突起先端とリフィルが常に摺接するようになっている為、前述もしたように寸法のバラツキが発生してしまうと、圧入状態になり出没動作が不可能になってしまったり、ぐらつきが発生してしまったりしていた。
また、実施例においては、ガタ付き防止部が４点の断面半円状になっており、一般的な加工にあっては、小さい突起が故に正確な寸法を出しにくく、寸法のバラツキが大きくなってしまう。仮に、リフィルとガタ付き防止部の接触関係が圧入状態にならず、ぐらつきのないリフィルとガタ付き防止部の組み合わせができたとしても、この様な製品においては、前記リフィルを交換することが一般的であり、リフィルを交換した際にも、正確な組み合わせを得ることは極めて困難であり、前記の問題点であるぐらつきが発生してしまう可能性は非常に高い。
また、後者においては、突出状態にある筆記体を没入させる際、筆記体の突出状態から更に筆記体を突出させることになる。この更なる突出によって、突出状態における出没機構の係止状態を解除しているのである。しかし、前記更なる突出動作によって、揺れ止めパイプのリフィルに対する締め込みが更に強固なものとなってしまう。この様に、強固に挟み込まれた状態で、突出した状態にあるリフィルを没入させるには、非常に弾発力の強いリターンスプリングが必要であり、突出動作時における必要な操作力も非常に大きなものとなってしまっていた。その結果、操作感が悪くなったり、没入時に勢いよくリフィルが軸筒内に戻り、リフィル自体に大きな衝撃が加わり、筆記カスレやインキ漏れなどの不具合を発生させてしまっていた。
【課題を解決するための手段】
【０００５】
本発明は、軸筒に筆記体が出没可能に配置された出没式筆記具であって、前記筆記体を弾発部材によって軸筒内に没入させると共に、前記軸筒の出没口の近傍に、前記筆記体の突出時にはその筆記体を保持するが、没入時には開放する筆記体保持手段を配置したことを要旨とする。
【発明の効果】
【０００６】
本発明は、軸筒に筆記体が出没可能に配置された出没式筆記具であって、前記筆記体を弾発部材によって軸筒内に没入させると共に、前記軸筒の出没口の近傍に、前記筆記体の突出時にはその筆記体を保持するが、没入時には開放する筆記体保持手段を配置したので、筆記感の良好な出没式筆記具を提供することができる。
【発明を実施するための最良の形態】
【０００７】
作用について説明する。軸筒内に筆記体が没入されているときは、保持手段が筆記体から離れており、筆記体を軸筒から突出させる操作の途中段階から、筆記体の保持が始まり、筆記状態では筆記体のぐらつきを感じることは無く、また、筆記体を没入させる操作を始めることによって、保持力をなくし、或いは、保持力を弱め、弾発部材で容易に筆記体が没入する。勿論、筆記体の外径や軸筒の前端開口部の寸法のバラツキが多少発生してしまっても、良好な筆記体の出没動作が得られる。
【０００８】
図１〜図７に第1例を示し説明する。軸筒１の前部には、先部材２が螺合によって着脱自在に固定されているが、圧入や接着などであっても良く、或いは、前記軸筒１と一体成形などしても良い。その先部材２には、後述するボールペンリフィルが出没する開口部３が形成されているが、その開口部３の横断面形状は楕円形状をなしている。尚、楕円状の開口部３の長径Ａと短径Ｂの比率は１９：１６となっているが、これに限定されるものではない。一方、軸筒１の後部には尾冠４が固定されており、その尾冠４には、クリップ５が一体形成されているが、そのクリップ５を別部材で構成し、尾冠４に固定などしても良い。尚、その尾冠４の長手方向における中間部の外周面には、係合突起６が形成されており、その係合突起６が軸筒１に形成された貫通孔７に係合している。この係合によって、尾冠４が軸筒１に固定されている。
その尾冠４の後端開口部からはノック部材８が突出しており、そのノック部材８の前端面には山形状のカム突起９が複数形成されている。また、ノック部材８の中間部の外周面には、２個の突起１０が対向した位置に形成されている。その突起１０はノック部材８の外周面をコの字型に切り欠き（切欠部１１）、その内部を膨出させることによって形成されている。即ち、突起１０は、その周囲をコの字型に切り欠くことによって、内方、或いは、外方に向けて弾性変形が可能なものとなっている。
これに対し、前記尾冠４の内面には、前記ノック部材８の突起１０が摺動する長孔４ａが形成されており、その前方にはカム溝部が形成されている。そのカム溝部は、浅溝部４ｂと深溝部４ｃとから構成されている。そのカム溝の前端部は傾斜面となっており、後述する回転子のカム突起が浅溝部４ｂと深溝部４ｃの傾斜面に当接し得るようになっている。また、その回転子のカム突起は、前記ノック部材８のカム突起９にも当接している。
【０００９】
前記ノック部材８の前方には、回転子１２が回転自在に配置されている。その回転子１２は筒状をなしていると共に、後述する大径部を境に後方延設部１３と前方延設部１４とから構成されている。そして、その前方延設部１４の中間部には外方鍔部１５が形成されており、その外方鍔部１５と前記先部材２の後端部との間には、コイルスプリングなどの弾発部材１６が配置されている。即ち、回転子１２やノック部材８は、弾発部材１６によって後方に向けて付勢されているのである。
また、回転子１２の後方部には大径部１７が形成されており、その大径部１７には、前記ノック部材８のカム突起９に当接するカム突起１８が形成されている。そのカム突起１８の後端面は、一方向に傾斜する傾斜面１９となっている。そして、そのカム突起１８は、前記カム溝の浅溝部４ｂと深溝部４ｃ内を摺動・当接し得るようになっている。
また、前記回転子１４の前方延設部１４の先端近傍には、２本の縦リブ２０が対向した位置に形成されており、また、その対向した縦リブ２０間には貫通したスリット２１が形成されている。このスリット２１を形成することによって、前方延設部１４の先端近傍を弾性変形可能としているのである。つまり、前記縦リブ２０に外側から内側に向けて外力が加わると、前方延設部１４の先端近傍がスリット２１の方向に内方変形するのである。また、回転子１２の前方延設部１４の先端内面には、保持部１４ａが形成されている。後述する筆記体のチップを保持したり、開放したりする部分となっている。
ここで、前記回転子１２は中空状をなしており、その内側には、筆記体であるボールペンリフィル２２が配設されており、そのボールペンリフィル２２の先端に固定されているチップ２３が前記回転子１２の前方延設部１４の先端から突出している。即ち、縦リブ２０やスリット２１が形成されている部分を通過して突出している。また、ボールペンリフィル２２は、前記回転子１２の内面に形成された円周状の突起２４によって保持されており、回転子１２に対する前方への移動が阻止されている。
【００１０】
次に、動作について説明する。図１に示すように、ボールペンリフィル２２が没入している状態から、ノック部材８を前方に向けて押圧すると、そのノック部材８のカム突起９と回転子１２のカム突起１８の当接により、その回転子１２は弾発部材１６の弾発力に抗して前進すると共に、その回転子１２に保持されているボールペンリフィル２２も前進し、これらの前進によって前方延出部１４の先端部とチップ２３が先部材２の先端開口部３から突出する。
この回転子１２の前進・突出過程で、回転子１２は軸筒１に対して回転する。ノック部材８の突起１０が尾冠４の長孔４ａに摺動自在ではあるが回転は不能に嵌まり込んでいると共に、ノック部材８の山形状のカム突起９の傾斜面９ａが回転子１２のカム突起１８の傾斜面１９に当接しているためである。つまり、ノック部材８の回転が不可能になっているため、前記傾斜面同士の当接によって回転子１２のみが回転するのである。そして、その回転子１２の回転によって、前方延出部１４の先端近傍に形成されている縦リブ２０が、前記先端開口部３の短径側に徐々に位置し、このとき、先端近傍が徐々に縮径せしめられると共に、保持部１４ａも徐々に閉鎖せしめられ、その保持部１４ａによってボールペンリフィル２２のチップ２３が保持される。尚、このとき、前記回転子１２のカム突起１８は、尾冠４の浅溝部４ｂに当接し、前記弾発部材１６による後方への移動が阻止されている。つまり、ボールペンリフィル２２の突出状態が維持されている。
ここで、再びノック部材８を前方に向けて押圧すると、再び回転子１２が回転すると共に、前方延設部１４の縦リブ２０が先端開口部３の長径側に徐々に位置し、このとき、保持部１４ａも徐々に拡開し、チップ２３を開放する。また、前記回転子１２のカム突起１８は、回転子１２の回転に伴って浅溝部４ｂから離脱し、深溝部４ｃへと移動する。そして、弾発部材１６の弾発力によって後方へと移動する。この回転子１２の移動に伴ってボールペンリフィル２２も後退し、チップ２３が先部材２内へと没入する。
【００１１】
変形例を図８に示し説明する。前記先部材２の先端開口部３の楕円形状の短径部の円弧を第１例の約半分とし、残りの約半分の円弧を長径の半径とほぼ同一とした例である。具体的に説明すると、先端開口部３の短径の円弧の約半分の位置には、凹部２５が形成されており、その凹部２５から長径の方向には、同一な半径の円弧が形成されている。
前記第１例においては、チップ２３が保持部１４ａによって保持されている状態から開放されるまでの間に、その保持力が徐々に弱くなるのに対し、本例においては回転子１２がわずかに回転することによって、チップ２３の保持部１４ａによる保持が解除されるようになっている。即ち、保持部１４ａの外周面（縦リブ２０）が、チップ２３と先部材２に挟まれた状態で摺動する時間が前記第１例に比し短くなっているのである。摺動する時間を短くすることによって、縦リブ２０や先端開口部の磨耗や塑性変形を極力防止しているのである。
【００１２】
第２例を図９〜図１２に示し説明する。軸筒２６は、前軸２７と後軸２８から構成されており、それら前軸２７と後軸２８は螺合などの手段によって着脱自在に固定されている。その前軸２７の外周面には、弾性体から構成されてなり滑り止め性を有するグリップ部材２９が装着されているが、前記前軸２７の表面にローレット加工などを施すことによって滑り止め性を付与しても良い。
また、後軸２８の外側には、外軸３０が配置されているが、その外軸３０は軸筒２６に対して相対的な回転が可能なものとなっている。その外軸３０の後部には、尾冠３１が固定されており、その尾冠３１にはクリップ３２が一体成形されているが、クリップを別部材で構成し、前記尾冠３１に固定しても良い。また、尾冠３１の内部には、内方筒部３３が形成されており、その内方筒部３３にはカム筒３４が固定されている。そのカム筒３４の前面には、カム面３５が形成されているが、そのカム面３５の一部には、凹状の係合部３６が形成されている。また、カム筒３４の前方部は、前記後軸２８の後部に回転自在に挿着していると共に、カム筒３４の外面鍔部３７が後軸２８の内面段部３８に係合している。それら外面鍔部３７と内面段部３８との係合によって、カム筒３４や外筒３０の軸筒２６に対する脱落が防止されている。
一方、後軸２８の後部には、前記カム筒３４のカム面３５と当接する摺動子３９が配置されており、その摺動子３９は後軸２８に対して前後動は可能であるものの相対的な回転は不能に配置されている。そして、その摺動子３９の前方には、筆記体であるボールペンリフィル４０が配置されている。そのボールペンリフィル４０の中間部には、膨出部４１が形成されており、その膨出部４１の前方部には筒状の保持部材４２が前記ボールペンリフィル４０の前方を囲繞した状態で配置されている。その保持部材４２はゴム状弾性体など弾性を有する材質から構成されているが、後部外周面に形成されている外面鍔部４３の近傍は、ほとんど弾性変形が得られないものとなっている。しかし、保持部材４２の中間部から前方部に架けては、薄肉状をなしており、弾性変形が可能なものとなっている。そして、その保持部材４２の前方外周部は、前端部に向かって先細りとなる円錐形状（円錐部４４）をなしており、円錐部４４の最大外径部４４ａから後方にかけては若干小径（小径部４４ｂ）になっている。また、その円錐部４４の前部内面には内面鍔部４５が形成されている。尚、その保持部材４２は、コイルスプリングなどの弾発部材４６によって後方に向けて付勢されており、その保持部材４２の後方への付勢によって、前記ボールペンリフィル４０やカム筒３４、そのカム筒３４を固定する外軸３０なども後方に向けて付勢されている。
前記前軸２７の前方内面には、前記保持部材４２の前方部が接触し、その前方部を縮径せしめる縮径段部４７が形成されている。その縮径段部４７によって円錐部４４が内方に向けて変形し、前記内面鍔部４５によってボールペンリフィル４０のチップ４８が保持されるのである。また、前記縮径段部４７の前方には、前記内面鍔部４５に当接する突起４９が上方、かつ、外側の方向に向かって、また、全周に渡って形成されているが、部分的に形成されていても良い。
【００１３】
次に、動作について説明する。ボールペンリフィル４０が没入状態である図８に示す状態から、外軸３０を軸筒２６に対して相対的に回転させると、カム筒３４が回転し、そのカム面３５によって摺動子３９が前方に移動する。その摺動子３９の移動によってボールペンリフィル４０と膨出部４１に当接している保持部材４２が弾発部材４６の弾発力に抗して前進し、やがて、前軸２７の先端開口部５０からチップ４８が突出する。この保持部材４２の前進過程で、円錐部４４が縮径段部４７によって徐々に内方に変形し、その円錐部４４の内面鍔部４５がチップ４８を徐々に保持する。このとき、摺動子３９の後端部は、カム筒３４の係合部３６に嵌まり込み係合し、その係合状態が維持される。
ここで、ボールペンリフィル４０を没入させるには、前記外軸３０を軸筒２６に対して逆回転させる。この操作により、摺動子３９の後端がカム筒３４の凹状の係合部３６を乗り越えようとし、一時的に前進する。この一時的な前進によりボールペンリフィル４０や保持部材４２も前進し、このとき、保持部材４２の内面鍔部４５が前軸２６の突起４９によって相対的に突き上げられ、上方、かつ、外側に向かって折り曲げられるように弾性変形し、チップ４８の保持状態が開放される（図１１参照）か、或いは、開放はされないまでもチップ４８との保持力が弱まる。尚、円錐部４４の最大外径部４４ａの後方は小径部４４ｂになっており、縮径段部４７の内径は後方部から前方部に渡って同径となっている。よって、前記一時的な前進動作が行われても、内面鍔部４５がチップ４８を保持する力は大きくはならない。一時的な円錐部４４近傍の圧縮によるわずかな膨出作用が前記小径部４４ｂによって吸収されるのである。そして、内面鍔部４５による開放がなされた瞬間に、前記保持部材４２やボールペンリフィル４０は、弾発部材４６の付勢力によって後方へと移動し、チップ４８が没入された状態となる。
【図面の簡単な説明】
【００１４】
【図１】第１例の縦断面図（没入状態）。
【図２】第１例の縦断面図（突出状態）。
【図３】図１のＡ−Ａ線断面図。
【図４】ノック部材の外観図。
【図５】尾冠の半断面図。
【図６】回転子の外観図。
【図７】図２の先端矢視図。
【図８】変形例を示す図６相当図。
【図９】第２例の縦断面図（没入状態）。
【図１０】カム筒の縦断面図。
【図１１】第２例の縦断面図（突出状態）。
【図１２】第２例の縦断面図（没入過程）。
【符号の説明】
【００１５】
１      軸筒
２      先部材
３      開口部
４      尾冠
５      クリップ
６      係合突起
７      貫通孔
８      ノック部材
９      カム突起
１０    突起
１１    切欠部
１２    回転子
１３    後方延設部
１４    前方延設部
１５    外方鍔部
１６    弾発部材
１７    大径部
１８    カム突起
１９    傾斜面
２０    縦リブ
２１    スリット
２２    ボールペンリフィル
２３    チップ
２４    突起
２５    凹部
２６    軸筒
２７    前軸
２８    後軸
２９    グリップ部材
３０    外軸
３１    尾冠
３２    クリップ
３３    内方筒部
３４    カム筒
３５    カム面
３６    係合部
３７    外面鍔部
３８    内面段部
３９    摺動子
４０    ボールペンリフィル
４１    膨出部
４２    保持部材
４３    外面鍔部
４４    円錐部
４５    内面鍔部
４６    弾発部材
４７    縮径段部
４８    チップ
４９    突起
５０    先端開口部
【図１】
2008162105.tif 000003
【図２】
2008162105.tif 000004
【図３】
2008162105.tif 000005
【図４】
2008162105.tif 000006
【図５】
2008162105.tif 000007
【図６】
2008162105.tif 000008
【図７】
2008162105.tif 000009
【図８】
2008162105.tif 000010
【図９】
2008162105.tif 000011
【図１０】
2008162105.tif 000012
【図１１】
2008162105.tif 000013
【図１２】
2008162105.tif 000014